(57)【要約】【課題】  片手で操作可能であっても複雑な操作をしないで、手軽に動画像の記録および静止画像の記録操作が可能で、特に静止画像を記録する際に手ぶれを少なくし、さらに誤操作を少なくすることが可能な画像記録再生装置を提供することを目的とする。【解決手段】  画像記録再生装置の本体（１）は、撮影レンズ（４）を備え、この撮影レンズが配置された本体の同一面（２）に静止画像を記録する静止画像用記録ボタン（６）を配置し、その面と対向する面（３）に動画像を記録する動画像用記録ボタン（１２）が配置されていることにより、静止画像の記録の際に手ぶれが少なくなり、さらに誤操作を少なくすることが可能となる。【選択図】  図１
2006108746.tif 000002
【特許請求の範囲】
【請求項１】
動画像および静止画像を記録および再生することが可能である画像記録再生装置において、
撮影レンズを備え、1組の対向する面を有する筺体と、
前記筺体の前記1組の対向する面にそれぞれに配置された静止画像を記録する第１の記録操作手段と動画像を記録する第２の記録操作手段とを具備することを特徴とする画像記録再生装置。
【請求項２】
前記第１の記録操作手段が前記撮影レンズが配置されている面とほぼ同一面手段に配置されたことを特徴とする請求項１に記載の画像記録再生装置。
【請求項３】
前記第１の記録操作手段の周辺に誤操作を防ぐための防護壁手段をさらに具備することを特徴とする請求項１乃至２に記載の画像記録再生装置。
【請求項４】
前記筺体に装着され前記撮影レンズによって撮影した画像を表示する画像表示手段をさらに具備することを特徴とする請求項１乃至３に記載の画像記録再生装置。
【請求項５】
前記第２の記録操作手段が配置している面と動画像を前記第１の記録操作手段および前記第２の記録操作手段で操作可能な機能以外の機能を操作する第１の操作手段をさらに具備することを特徴とする請求項１乃至４に記載の画像記録再生装置。
【請求項６】
前記第１の操作手段が被写体の撮影映像を拡大または縮小させるズーム操作手段と、
様々な撮影モードを前記画像表示手段に表示させるメニュー操作手段と、
表示された撮影モードから希望の撮影モードを選択する選択手段
のうち少なくとも一つを含むことを特徴とする請求項５に記載の画像記録再生装置。
【請求項７】
前記画像表示手段は前記第１の記録操作手段と前記第２の記録操作手段を結ぶ結線より前記撮影レンズに向かって前記筺体の右側方向もしくは上方に設けられたことを特徴とする請求項４に記載の画像記録再生装置。
【請求項８】
画像を記録および再生することが可能な画像記録再生装置において、
撮影レンズを備え、ガングリップ型の筺体と、
この筺体に配置された1組の対向する面と
前記1組の対向する面のそれぞれに配置された画像を記録するための第１の記録操作手段と、第２の記録操作手段とを備え、前記第２の記録操作手段は親指で操作し、前期第１の記録操作は同じ手の親指以外の指で操作するたことを特徴とする画像記録再生装置。
【請求項９】
前記第１の記録操作手段が前記撮影レンズが配置されている面とほぼ同一面手段に配置されたことを特徴とする請求項８に記載の画像記録再生装置。
【請求項１０】
前記第１の記録操作手段が静止画像記録用操作手段であり、前記第２の記録操作手段が動画像記録用操作手段であることを特徴とする請求項８乃至９に記載の画像記録再生装置。
【請求項１１】
前記第１の記録操作手段の周辺に誤操作を防ぐための防護壁手段をさらに具備することを特徴とする請求項１０に記載の画像記録再生装置。
【請求項１２】
前記筺体に装着され前記撮影レンズによって撮影した画像を表示する画像表示手段をさらに具備することを特徴とする請求項８乃至１１に記載の画像記録再生装置。
【請求項１３】
前記筺体の第２の記録操作手段が配置している面と同一面に前記第１の記録操作手段および前記第２の記録操作手段で操作可能な機能以外の機能を操作する第１の操作手段をさらに具備することを特徴とする請求項１０乃至１１に記載の画像記録再生装置。
【請求項１４】
前記第１の操作手段が被写体の撮影映像を拡大または縮小させるズーム操作手段と、
様々な撮影モードを前記画像表示手段に表示させるメニュー操作手段と、
表示された撮影モードから希望の撮影モードを選択する選択手段
のうち少なくとも一つを含むことを特徴とする請求項１３に記載の画像記録再生装置。
【請求項１５】
前記画像表示手段は前記第１の記録操作手段と前記第２の記録操作手段を結ぶ結線より前記撮影レンズに向かって前記筺体の右側方向もしくは上方に設けられたことを特徴とする請求項１２に記載の画像記録再生装置。
【発明の詳細な説明】
【技術分野】
【０００１】
本発明は動画像および静止画像を記録または再生する画像記録再生装置に関し、特に、動画像用記録ボタン、および静止画像用記録ボタンの配置に関係する。
【背景技術】
【０００２】
最近、画像記録再生装置、例えばデジタルカメラは、撮像レンズを通して得た画像をＣＣＤ等の固体撮像素子で光電交換し、得られた画像信号をデジタルデータとして扱う構成になっている。また、この種のデジタルカメラは動画像記録モードでデジタルデータをテープ等に記録するデジタルビデオと静止画像記録モードでデジタルデータを半導体メモリー等に記録するデジタルスチルカメラとが存在する。
【０００３】
また、主に動画像記録用のデジタルビデオカメラであって、静止画像記録モードを具えたものや、逆に静止画像記録用のデジタルスチルカメラであって、動画像記録モードを具えたものなどが提案されている。
【０００４】
さらに、上述のデジタルビデオカメラまたはデジタルカメラにおいて手軽に動画、静止画が記録できるように片手操作が可能な小型化、軽量化が進む一方で、静止画記録モード、動画記録モード、再生モード、等多くの機能が増えたことによる各種の操作ボタン等が増え、誤操作やユーザーがどのボタンを押せばいいか混乱してしまう問題があった。
【０００５】
この問題を解決するために、例えば特開平８−２０５００９号にはベルト等の装着により片手操作が可能なビデオカメラにおいて、背蓋ユニットに配設されたトリガーボタンをある一方の方向に回転されることによりビデオカメラ手段により動画像の記録スタートおよび記録のストップ操作が実施でき、装置上面に配設されたスチル用シャッターボタンを押し込むことによりスチルカメラ手段の静止画像の記録動作の開始操作が実施できるスチルカメラ付きビデオカメラが提案され、動画像の記録操作方法と静止画像の記録操作方法を変えることにより、常にユーザーがビデオカメラ手段の操作とスチルカメラ手段の操作とを間違えることなく容易に操作実施可能にしたものが提案されている。
【特許文献１】特開平８−２０５００９号
【発明の開示】
【発明が解決しようとする課題】
【０００６】
従来の画像記録再生装置では、動画像の記録ボタンと静止画像の記録ボタンの操作方法を変えることで、ユーザーが誤動作をするのを防ぐことが可能になったものの、動画像用の記録ボタンでは操作上親指で操作することから、操作ボタンを回転させる等の複雑な操作方法はユーザーにとって煩わしさがあった。
【０００７】
また、片手操作により手軽に操作を行える一方で、静止画像の記録ボタン（スチル用シャッターボタン）を押し込むことで、静止画像を記録するので、静止画像の記録ボタンを操作する際に記録ボタンを押し込む方向に支えがないために手ぶれ等を起こす可能性があった。
【０００８】
さらに従来の画像記録再生装置では、ベルト等を装着して片手操作で操作をするため、とっさに撮影したい場合にもベルト等の装着する手間により録画チャンスを逃がしたり、きちんとベルトに装着しないと手ぶれをおこしたりする煩わしさがあった。
【０００９】
さらに静止画像の記録ボタンと同一面あるいは隣接する場所にズームボタン等の他の機能を有するボタンを配置しているため、静止画像の記録ボタンとズームボタン等のほかの機能を有するボタンを間違えて操作してしまい、誤動作してしまう可能性があった。また誤動作をしないように静止画像の記録ボタンを押し込むためには静止画像ボタンとズームボタン等の他の記録を有するボタンの位置を確認して操作しなければならないため、操作上煩わしさがあった。
【００１０】
また、いろいろな撮影モードを選択可能にする選択ダイヤルがレンズユニットを挟んで動画像の記録ボタンまたは静止画像の記録ボタン等が配置されている操作部材と反対側に配置されている。よって選択ダイヤルを操作する際には動画像の記録ボタンまたは静止画像の記録ボタンを操作する手（右手）とは違う手（左手）を使用しなければならず、左手が荷物等でふさがっている場合、撮影モードの変換することが困難であった。
【００１１】
本発明は上記問題点を解決するためになされたもので、片手で操作可能であっても複雑な操作をしないで、手軽に片手で動画像の記録および静止画像の記録操作が可能で、特に静止画像を記録する際に手ぶれを少なくし、さらに誤操作を少なくすることが可能な画像記録再生装置を提供することを目的とする。
【課題を解決するための手段】
【００１２】
上記目的を達成するために第１の本発明による画像記録再生装置は動画像および静止画像を記録および再生することが可能である画像記録再生装置であり、撮影レンズを備え、1組の対向する面を有する筺体と、この筺体の前記1組の対向する面にそれぞれに配置された静止画像を記録する第１の記録操作手段と動画像を記録する第２の記録操作手段とを具備することを特徴とする。
【００１３】
また、上記目的を達成するための第２の本発明による画像記録再生装置は画像を記録および再生することが可能な画像記録再生装置であり、撮影レンズを備え、ガングリップ型の筺体と、この筺体に配置された1組の対向する面と、この1組の対向する面のそれぞれに配置された画像を記録するための第１の記録操作手段と、第２の記録操作手段とを備え、第２の記録操作手段は親指で操作し、第１の記録操作は同じ手の親指以外の指で操作することを特徴とする。
【発明の効果】
【００１４】
本発明によれば、手軽に動画像の記録および静止画像の記録の操作することが可能であり、さらに誤操作を少なくすることができる。
また、本発明によれば、静止画像を記録する際に手ぶれを少なくすることができる。
【発明を実施するための最良の形態】
【００１５】
以下、本発明の一実施例の形態による画像記録再生装置を図面を用いて詳細に説明する。本実施形態は、ガングリップ型の形状により片手操作を可能にした場合のデジタルカメラに本発明を適用した例である。
【００１６】
まず、図１および図２を参照して、画像記録再生装置の構成の概要を説明する。図１は本発明の一実施例の形態における画像記録再生装置の構成を示す撮影レンズ側の斜視図である。また図２は本発明の一実施例の形態における画像記録再生装置の構成を示す撮影レンズと対向する面の斜視図である。尚図１および図２に示すデジタルカメラは説明を簡略化するために被写体像を撮像するための光学系、駆動系、及び画像データ処理回路系については省略している。
【００１７】
ここで、図１は被写体をモニターするＬＣＤ表示部１０を開いた場合の構造が示されている。デジタルカメラは、撮影レンズ４を備えた略直方体、例えばガングリップ型のデジタルカメラ本体１からなり、その１組の対向する面に各種の操作用ボタン等が配置されている。この撮影レンズ４はデジタルカメラ本体１の前面２の上部に配置されおり、デジタルカメラ本体１の上面には音声を記録するための音声記録マイク５が配置されている。撮影レンズ４に向かって右側側面に２軸ひんじで固定されたＬＣＤ表示部１０がデジタルカメラ本体１に装着されている。
【００１８】
画像を記録または再生しない場合、つまりデジタルカメラを使用しない場合には、このＬＣＤ表示部１０はデジタルカメラ本体１の右側（撮影レンズ２に向かって）に設けられたＬＣＤ表示部収納用切り欠き部１１に２軸ひんじを利用して収納する。さらに撮影レンズ４が配置されているデジタルカメラ本体１の前面２側で、撮影レンズ４の下方に静止画像用記録ボタン６が配置され、その下方にリモコン受光部７が設けられている。この静止画像用記録ボタン６は撮影レンズ４が配置されている面とは段差部によって一段下がった部分の面に設けられている。またこの静止画像用記録ボタン６およびリモコン受光部７は露出部分以外はフロントカバー８で覆われており、さらに静止画像用ボタン６の周辺はボタンガード９が配置されている。
【００１９】
さらに図２において、デジタルカメラ本体１の撮影レンズ４と対向する面（背面３側）の上部の左側に動画像用記録ボタン１２とその右側にズームスイッチ１３が配置されている。つまり、静止画像用記録ボタン６と動画像用記録ボタン１２とが対向する面に配置されている。また、動画像用記録ボタン１２と同一面でデジタルカメラ本体１の背面３の中央部にジョグダイヤル１４が配置されている。そのジョグダイヤル１４の中央部にはカーソルキー１５が配置されている、さらにそのジョグダイヤル１４の下方に電源ボタン１６とメニュー切替えボタン１７を動画像用記録ボタン１２と同一面に配置している。また動画面用記録ボタン１２に向かって、左側側面（撮像レンズ２に向かっては右側側面）にＬＣＤ表示部１０が上述のとおり装着されている。図２のようにＬＣＤ表示部１０が開いている場合、このＬＣＤ表示部１０はそのＬＣＤ表示画面１８に動画像の記録時や静止画像の記録時またはそれぞれの再生時にその記録した、または被写体の画像を表示する。
【００２０】
さらに静止画像用記録ボタン６の構造を図３を用いて詳細に説明する。ここで、図３は本発明の一実施例の形態における画像記録再生装置の静止画像用ボタンの断面図である。
【００２１】
この静止画像用記録ボタン６の周囲はフロントカバー２１により囲まれており、このフロントカバー２１の上部に静止画像用記録ボタン５の周りを土手状の凸部を形成するボタンガード２２が配置されている。このボタンガード２２の上面と静止画像用記録ボタン６の上面はボタンガード２２の上面の方が少し高くもしくは同じ高さになるように配置されている。さらに静止画像用記録ボタン６の下方部にはシャシー２５によって所定位置に保持されたスイッチ基板２４が構成され、該スイッチ基板２４上には静止画像用記録ボタン５の押釦操作を電気信号として検出するプッシュスイッチ２３が実装されている。
【００２２】
静止画像用記録ボタン６の押釦操作すると、静止画像用記録ボタン６が下方に下がり、プッシュスイッチ２３の可動接点を押し下げてスイッチ基板２４上に構成された電気回路を「ＯＰＥＮ」から「ＣＬＯＳＥ」に状態変化させる。更に「ＣＬＯＳＥ」状態となった電気信号は図示しないマイコンにより静止画像用記録ボタン６押釦操作されたと認識して静止画像の記録を行う。
【００２３】
ここで、本実施例のデジタルカメラの持ち方、動画像用記録ボタン５、静止画用記録ボタン１０、およびその他のボタン、スイッチの操作方法について説明する。
【００２４】
まず、動画像または静止画像を記録する場合について以下に説明する。最初ＬＣＤウィング収納部より２軸ひんじを利用してＬＣＤウィング１０をＬＣＤ表示画面１８が撮影者に見えるように開く。そしてデジタルカメラ本体１をまず撮影レンズ４を被写体に向け、デジタルカメラ本体１を右手で保持し、通常は親指をズームスイッチ１３上に、人指し指を静止画用記録ボタン上に置き、デジタルカメラ本体１のガンを握るように保持する。従って、保持部のＬＣＤウィング収納用切り欠き部９の部分を親指以外の人指し指、中指、薬指、小指の指で握り、その対向する面を手のひらで支えていることにより、しっかりと握ることができる。
【００２５】
このようにデジタルカメラ本体１を片手（右手）でガンを握るように保持して、電源ボタン１４を親指で押して、電源を入れる。動画像を撮影する場合、動画像用記録ボタンを親指で１回押すと動画像の記録が開始され、更に２回目を親指で押すと動画像の記録が停止または一時停止する。
【００２６】
また静止画像を撮影する場合についての操作について以下に説明する。静止画像を撮影する場合も動画像を撮影する場合と同様に片手でデジタルカメラ本体１を保持する。親指で電源ボタン１６を押して電源を入れ、撮影レンズ４を被写体に向けて、ＬＣＤ表示画面１８で記録したい撮影画像を確認して、人差し指の腹で静止画像用記録ボタン５を押釦操作することによって、静止画像が記録される。ここで、静止画像を記録した時に、ユーザーに静止画像を記録したことを知らせるために図４で示されているようなシャッターの画面をＬＣＤ表示画面１８に表示する。また動画像の記録中に静止画像を記録することも可能であり、静止画像用記録ボタン６を押釦操作すると、同様に図４に示されたようなシャッターの画面がＬＣＤ表示画面１８に表示され、ユーザーに静止画像を記録したこと知らせる。さらに、図３で説明したとおり、静止画像用記録ボタン５の周辺部には土手状の凸部からなるボタンガードがあるため、通常デジタルカメラ本体１を片手で握っている時に静止画像用記録ボタン６を押すことがなく、意識して静止画像用記録ボタン６を押し込まないと静止画像は記録できないようになっている。
【００２７】
次に、上記で説明した静止画像用記録ボタン６と動画像用記録ボタン１３以外の操作用ボタンについて以下に説明する。
【００２８】
まず、ズームスイッチ１３は撮影レンズ４の焦点距離えお可変させるスイッチで、上・下に動かすことで記録しているもしくはモニターしている被写体の撮影画像を拡大または縮小させるものであり、静止画像記録時、動画像記録時両方で使用することが可能である。ＬＣＤ表示画面１８に表示された画面を確認しながら、親指で上下操作しながら簡単に操作することが可能である。
【００２９】
また、メニュー切替えボタン１７は各種機能のメニューを押釦操作することによりＬＣＤ表示画面１８に表示する。各種機能のメニューは階層的な構成となっており、動画像撮影メニュー、静止画像撮影メニュー、再生メニューが第１階層になる。それぞれの下級階層に各種撮影または再生のアイテムのメニューがある。
【００３０】
さらにジョグダイヤル１４とカーソルキー１５は上記メニュー切替えボタン１７によって表示された各種メニューを選択し、各種撮影のアイテムの撮影モードを決定するためのものである。基本的にジョグダイヤル１４とカーソルキー１５は併用するこが可能であり、メニューの切り替え時や再生ファイルの選択時に画面上のカーソルを上下左右に動かす際に使用する。通常はカーソルを上下左右に一コマずつ動かせるカーソルキー１５を使用するが、メニューやファイルが多い場合にジョグダイヤル１４を回転させるとＰＣのマウスのホイールの要領で一気にスクロールが可能になる。選択決定はカーソルキー１５をセンタープッシュすることにより可能である。
【００３１】
ここで、図５を用いて、メニュー切替えボタン１７とジョグダイヤル１４とカーソルキー１５の操作の方法について説明する。図５は本実施例における動画像撮影メニューの中のカラーの撮影モードの選択画面を示したものである。
【００３２】
まず、メニュー切替えボタン１７を押釦操作して、動画像撮影メニュー、静止画像撮影メニュー、再生メニューの第１階層のメニューをＬＣＤ表示画像１８に表示して、どのメニューを選択するかカーソルキー１５を操作して、希望のメニューにカーソルを合わせ、カーソルキー１５のセンタープッシュすることにより選択メニューを決定することができる。例えば、動画像撮影メニューを選択すると、ＬＣＤ表示画面上に選択した第１階層のメニュー表示部１００に動画像表示メニューと表示される。この動画像撮影メニューには手ぶれ補正、デジタルズーム、カラー、クオリティーなどの多くのアイテムがあり、第１の列選択バー１０１および第２の列選択バー１０２のカーソルを動かすことによって、アイテム表示部１０４にカーソルが静止したアイテムが表示される。またアイテム設定表示部１０５にはデフォルトもしくは以前に設定した設定モードが表示される。上述したとおり、通常はカーソルキー１５を使用して第２の列選択バー１０２上のカーソル（図中の斜線の四角）を上下に動かし、希望のアイテムを表示させる。
【００３３】
しかしメニュー等が多い場合にはカーソルキー１５で一コマ、一コマ上下させるのは時間がかかり、面倒であるので、ジョグダイヤル１４をＰＣのマウスのホイールの様に第１の列選択バー１０１上の黒い四角のカーソルを一気に動かすことによって素早く、希望のアイテムを選択することができる。上述のとおり、ジョグダイヤル１４とカーソルキー１５をその用途によって使い分けてアイテムを選択し、カーソルキー１５をセンタープッシュすることによりアイテムが決定される。図５によると第１の列選択バー１０１の黒いカーソルと選択第２の列選択バー１０２の斜線のカーソルの静止した場所がカラーの選択モードであり、アイテム表示部１４には「カラー」と表示され、アイテム設定表示部１０５にはデフォルト等で設定されたモード、「標準」モードが表示される。
【００３４】
ここで、カーソルキー１５をセンタープッシュすると、行選択バー１０３の横方向にカーソルが動き、カーソルキー１５を左右操作させることによりカーラーのモードを選択することが可能である。カ−ラーのモードにはモード表１０６に示されるように（実際にはＬＣＤ表示画面上には表示されない。）「標準」、「あざやか」、「モノクロ」、「セピア」の４つのモードがあり、カーソルキー１５を図５で示されている斜線のカーソルより一つ右にずらすと、「標準」モードになり、さらに右に一つずらすと「あざやか」モードを選択することができ、カーソルキー１５をセンタープッシュすることによりカラーのモードを決定できる。決定されたカラーのモードはアイテム設定表示部１０５に表示され、設定がメモリーされる。そして、カーソルを第２の列選択バー１０２の斜線のカーソルの位置に戻して、カーソルキー１５を上下に動かしたり、ジョグダイヤル１４を回転させることにより他のアイテムのモードを選択することができる。
【００３５】
このようにして、本実施例では、デジタルカメラ本体１をガングリップ型にして片手で保持できようにし、静止画像用記録ボタン６と動画像用記録ボタン１２とを互いに対応する面に設け、静止画像用記録ボタン６を人指し指で操作し、動画用記録ボタン１２を親指で操作することができ、静止画像を記録する場合、静止画像用記録ボタン６を人指し指で押し込んでも対向する面を親指等で支えることができるので、片手による撮影でも手振れが少なくなる。さらにデジタルカメラ本体１をガングリップ型にした事により、ベルト等を装着しないでも片手で操作が可能となり、画像を記録する際にベルト等を装着するユーザーの煩わしさを軽減でき、とっさに撮影したい場合でも手軽に片手で動画および静止画像の撮影が可能となった。またガングリップ型にして、手のひらサイズと小型、軽量化にしたことにより、持ち運びが便利になり、簡単に動画像および静止画像を記録および再生することが可能となった。
【００３６】
また、静止画像用記録ボタン６が撮影レンズ４の下方に配置され、その配置された同一面または隣接した場所に他の機能を持つボタン、スイッチが配置されていないので、静止画像用記録ボタン６を操作しようと思って、他のボタンを操作してしまうという誤操作が少なくなった。一方で他の機能を操作するための操作ボタン、スイッチを動画用記録用ボタン１２が配置されている側（デジタルカメラ本体１の背面３側、つまりユーザがＬＣＤ表示部１０を見る方向と同じ方向に）に配置したことにより、容易に他の機能を操作するための操作ボタンを確認しながら操作できるようになり、誤操作が軽減できる。さらに、ファイダーを省略したことにより、多くの機能ボタンがあっても余裕をもって配置が可能になり、各ボタン、スイッチを大きく設計できることにより、誤操作を軽減することが可能になる・
【００３７】
さらに、ガングリップ型のデジタルカメラ本体１を片手で保持する際に人指し指が静止画像用記録ボタン６の上に置かれるが、土手状の凸部を形成するボタンカード２２が静止画像用記録ボタン６の周囲に設けられているので、通常に人指し指が置かれただけでは、静止画像用記録ボタン６は操作されず、意識的にボタンカード２２以外の静止画像用記録ボタン６の上を人指し指の腹等で押込むことにより静止画像用記録ボタン６が操作され、静止画像が記録されるので、誤操作を軽減できる。さらに動画像用記録ボタン１２も静止画像用記録ボタン６の操作はどちらも押釦操作のみであり簡単に操作することが可能である。
【００３８】
さらに静止画像用記録ボタン６が撮影レンズの配置された面より段差が設けられた部分に設けられていることにより、人指し指で撮影レンズを隠したり、汚してしまうことがなく、動画像または静止画像を正確に記録することが可能となった。
【００３９】
また他の実施例として、デジタルカメラ本体１の上面にＬＣＤ表示部１０を配置してもよい。ＬＣＤ表示部１０の配置以外の各種機能の操作ボタン、スイッチは前述の実施例と同様に配置する。
【００４０】
この実施例によると、ＬＣＤ表示部１０を上部に設けることにより、前述の実施例の効果以外に、デジタルカメラ本体１がさらにスリムに設計することが可能になり、小型、軽量化が促進できる。また撮影レンズ４とＬＣＤ表示部１０とユーザーの視線がほぼ一直線上になるので、ＬＣＤ表示部１０と撮影レンズ４の位置のずれを気にせずに、自然に希望の場所を簡単に撮影することが可能になる。
【００４１】
また、上述した実施例では、画像記録再生装置としてデジタルカメラを例にあげ、形状としてガングリップ型を例にあげて説明したが、動画像および静止画像が記録および再生ができ、動画像用記録ボタンおよび静止画像用記録ボタンがそれぞれ対向する面に配置されていればなんでもよい。
【００４２】
また、上述した実施例には種々の段階の発明が含まれており、開示される複数の構成要件における適宜な組み合わせにより種々の段階の発明が抽出される。例えば、実施例に示される全構成要件から幾つかの構成要件を削除されても、発明が解決しようとする課題の欄で述べた課題が解決でき、発明の効果の欄で述べられる効果が得られるような場合には、この構成要件が削除された構成が発明として抽出されえる。
【図面の簡単な説明】
【００４３】
【図１】本発明の一実施例の形態における画像記録再生装置の構成を示す撮影レンズ側の斜視図。
【図２】本発明の一実施例の形態における画像記録再生装置の構成を示す撮影レンズと対向する面の斜視図。
【図３】本発明の一実施例の形態における画像記録再生装置の静止画像用ボタンの断面図。
【図４】本発明の一実施例の形態における静止画像用記録ボタンを操作した場合のＬＣＤ表示画面
【図５】本発明の一実施例の形態における動画像撮影メニューの中のカラーの撮影モードの選択画面
【符号の説明】
【００４４】
１  デジタルカメラ本体  
２  デジタルカメラ本体の前面
３  デジタルカメラ本体の背面
４  撮影レンズ
５  音声記録マイク
６  静止画像用記録ボタン
７  リモコン受光部
８  フロントカバー
９  ボタンガード
１０  ＬＣＤ表示部
１１  ＬＣＤ表示部収納用切欠き部
１２  動画像用記録ボタン
１３  ズームスイッチ
１４  ジョグダイヤル
１５  カーソルキー
１６  電源ボタン
１７  メニュー切替ボタン
１８  ＬＣＤ表示画面
２１  フロントカバー
２２  ボタンガード
２３  プッシュスイッチ
２４  スイッチ基板
２５  シャーシー
【図１】
2006108746.tif 000003
【図２】
2006108746.tif 000004
【図３】
2006108746.tif 000005
【図４】
2006108746.tif 000006
【図５】
2006108746.tif 000007